(57)【特許請求の範囲】
【請求項１】
プランジャ（１４）を内部に配置した薬剤容器（１５）と、針（１２）と針シールド（１１）とを備える交換可能な容器部分組立品（１０３）を収容するように構成された薬剤注射器具（１００）であって、前記薬剤注射器具（１００）は、近位端および遠位端を有し、前記薬剤注射器具（１００）は、
互いに解除可能に接続された前部ハウジング（１０２）および後部ハウジング（１０１）と、
後部ハウジング（１０１）に収容され、交換可能な容器部分組立品（１０３）に作用するように構成された再装入可能な駆動機構（１０８）とを含み、前記再装入可能な駆動機構（１０８）は、コック位置と展開位置との間で移動可能であり、
前記コック位置から前記駆動機構（１０８）を前記展開位置に解放するための解放機構（３）と、
前記前部ハウジング（１０２）内部で摺動可能に配置された針隠し前部（１６）と、
前記薬剤注射器具（１００）に収容された前記交換可能な容器部分組立品（１０３）の前記針シールド（１１）と接続するように配置された針シールド除去部材（１０９）とを含み、前記針シールド除去部材（１０９）は、前記針隠し前部（１６）を通って前記前部ハウジング（１０２）の近位端に取外し可能に挿入されるように配置されており、
前記針シールド除去部材（１０９）は、前記前部ハウジング（１０２）に挿入されて前記針シールド除去部材（１０９）の近位端が前記後部ハウジング（１０１）の近位端位置に位置する前記駆動機構（１０８）に当接するように配置される場合、使用者が前記再装入可能な駆動機構（１０８）を前記展開位置から前記コック位置に再配置するように、前記後部ハウジング（１０１）に収容された前記再装入可能な駆動機構（１０８）と相互作用するように構成されており、
針隠し本体（１７）が前記前部ハウジング（１０２）内部に配置され、前記針隠し前部（１６）は、ねじ付き接続部（１８）を介して前記針隠し本体（１７）に調整可能に接続されており、
前記針シールド除去部材（１０９）と前記針隠し前部（１６）とは、前記針隠し前部（１６）に対する前記針シールド除去部材（１０９）の回転が防止されながら、前記針隠し前部（１６）に対する前記針シールド除去部材（１０９）の軸方向移動が許可されるように、噛み合うように配置されている、薬剤注射器具（１００）。
【請求項２】
前記針隠し本体（１７）は、前部ハウジング（１０２）内部で近位端位置と遠位端位置との間に軸方向に移動可能であり、
注射器案内部（２４）が、交換可能な容器部分組立品（１０３）を収容するために、前記針隠し本体（１７）内部に配置されており、
前記注射器案内部（２４）は、前記前部ハウジング（１０２）に対して近位端位置と遠位端位置との間で軸方向に移動可能であり、
前記注射器案内部（２４）の近位端端面は、前記針シールド除去部材の最大挿入深度を規定する、請求項１に記載の薬剤注射器具（１００）。
【請求項３】
前記注射器案内部（２４）と前記針隠し本体（１７）との間には、第１付勢部材（１９）が配置されており、
前記第１付勢部材（１９）は、前記注射器案内部（２４）を前記遠位端位置に向かって付勢するとともに、前記針隠し本体（１７）を前記近位端位置に向かって付勢する、請求項２に記載の薬剤注射器具（１００）。
【請求項４】
前記注射器案内部（２４）の遠位端には、弾性注射器環状部（２５）が配置されており、
前記弾性注射器環状部（２５）は、交換可能な容器部分組立品（１０３）を収容かつ保持するように構成されている、請求項２に記載の薬剤注射器具（１００）。
【請求項５】
前記前部ハウジング（１０２）は、前記前部ハウジング（１０２）に対して、前記針隠し本体（１７）の前記近位端位置および前記遠位端位置を規定する内部当接面を含む、請求項２に記載の薬剤注射器具（１００）。
【請求項６】
前記薬剤注射器具（１００）に収容された容器部分組立品（１０３）の針（１２）の穿刺深度は、前記針隠し前部（１６）の位置を調整することによって調整される、請求項１に記載の薬剤注射器具（１００）。
【請求項７】
前記針隠し前部（１６）は、設定された針の穿刺深度を提示する表示手段（２６）を備える、請求項１に記載の薬剤注射器具（１００）。
【請求項８】
前記針シールド除去部材（１０９）は、前記再装入可能な薬剤注射器具（１０３）に収容された交換可能な容器部分組立品（１０３）の前記針シールド（１１）を把持するように構成された可撓性フック手段を含む、請求項１に記載の薬剤注射器具（１００）。
【請求項９】
前記再装入可能な駆動機構（１０８）は、軸方向に移動可能なプランジャロッド駆動部（１）と、前記プランジャロッド駆動部（１）を近位端位置に向かって付勢する駆動ばね（２）とを含み、
前記プランジャロッド駆動部（１）と前記後部ハウジング（１０１）とは、前記後部ハウジング（１０１）内部で移動する間に前記プランジャロッド駆動部（１）を案内するための対応する案内手段（１０）を含む、請求項１に記載の薬剤注射器具（１００）。
【請求項１０】
前記プランジャロッド駆動部（１）は、前記針を穿刺させ、薬剤を前記針を通って排出させるように、前記交換可能な容器部分組立品（１０３）の前記プランジャ（１４）に作用して、前記交換可能な容器部分組立品（１０３）を前記前部ハウジング（１０２）に対して軸方向に移動させるように構成される、請求項９に記載の薬剤注射器具（１００）。
【請求項１１】
前記後部ハウジング（１０１）は、後部ハウジング（１０１）内部で近位端位置と遠位端位置との間に移動可能なボタンブロッカー（２６）を含み、
前記ボタンブロッカー（２６）は、前記近位端位置において、前記解放機構（３）が前記駆動機構（１０８）を前記コック位置から前記展開位置に解放することを防止し、前記遠位端位置において、前記解放機構（３）が前記駆動機構（１０８）を前記コック位置から前記展開位置に解放することを許可し、
前記針隠し本体（１７）が前記前部ハウジング（１０２）内部で前記近位端位置から前記遠位端位置に軸方向に移動されたときに、ボタンブロッカー（２６）は、前記近位端位置から前記遠位端位置に移動される、請求項２に記載の薬剤注射器具（１００）。
【請求項１２】
第２付勢部材（２７）が、前記ボタンブロッカー（２６）を前記近位端位置に向かって付勢するように、後部ハウジング（１０１）内部に設けられている、請求項１１記載の薬剤注射器具（１００）。
【請求項１３】
請求項１から１２のいずれか１項に記載の薬剤注射器具（１００）を再装入するための方法であって、
使用者が、前記針隠し前部（１６）を介して前記前部ハウジング（１０２）に配置された前記針シールド除去部材（１０９）を備える前記後部ハウジング（１０１）から前記前部ハウジング（１０２）を除去し、前記針シールド除去部材（１０９）の近位端を前記後部ハウジング（１０１）に収容された前記再装入可能な駆動機構（１０８）に接触させ、
その後、前記前部ハウジング（１０２）および前記針シールド除去部材（１０９）を前記後部ハウジング（１０１）および前記駆動機構に向って軸方向に押すことによって、前記再装入可能な駆動機構（１０８）を前記展開位置から前記コック位置に移動させることによって、薬剤注射器具（１００）を再装入する方法。
【発明の詳細な説明】
【技術分野】
【０００１】
発明の分野
本発明は、注射器具、特に再使用可能な自動注入装置に関する。
【背景技術】
【０００２】
発明の背景
注射器などの容器部分組立品を装入できる再利用可能な自動注入装置は、従来技術において知られている。ＵＳ５５９９３０９は、専用の注射器とともに使用する自動注入装置を開示している。この従来技術は、注射器のプランジャの後部端を収容する駆動部材と、薬剤を注射できるように駆動部材を解放するためのトリガーとを備えた器具を開示している。この従来技術の欠点は、器具を注射部位から取外した後、針が器具の外部に位置しており、使用者に可視であること、および再装入が複雑で時間がかかることである。
【発明の概要】
【発明が解決しようとする課題】
【０００３】
したがって、本発明の目的は、向上された使用易さを有する注射器具を提供することである。特に、本発明の目的は、針を常に使用者に不可視にしかつ器具の再装入が簡単である注射器具を提供することである。この目的および他の目的は、請求項１に記載の注射器具によって達成される。また、この目的および他の目的は、請求項１５により規定された方法によって達成される。本発明の好ましい実施形態は、従属請求項により定義される。
【課題を解決するための手段】
【０００４】
したがって、本発明の一局面によれば、薬剤注射器具は、近位端および遠位端を有し、プランジャを内部に配置した薬剤容器と、針と針シールドとを備える交換可能な容器部分組立品を収容するように構成されている。薬剤注射器具は、互いに解除可能に接続された前部ハウジングおよび後部ハウジングと、後部ハウジングに収容され、交換可能な容器部分組立品に作用するように構成された再装入可能な駆動機構とを含む。再装入可能な駆動機構は、コック位置と展開位置との間で移動可能である。コック位置から駆動機構を展開位置に解放するための解放機構が設けられている。針隠し前部は、前部ハウジング内部で摺動可能に配置されている。針シールド除去部材は、再装入可能な薬剤注射器具に収容された交換可能な容器部分組立品の針シールドと接続するように配置されている。針シールド除去部材は、針隠し前部を通って前部ハウジングの近位端に取外し可能に挿入されるように配置されており、針シールド除去部材は、前部ハウジングに挿入される場合、使用者が再装入可能な駆動機構を展開位置からコック位置に再配置するように、後部ハウジングに収容された再装入可能な駆動機構と相互作用するように構成されている。針シールド除去部材が前部ハウジングとともに駆動機構を再装入するために使用できるように、針シールド除去部材と針隠し前部を有する前部ハウジングとを設計することによって、器具の使用が簡略化され、大幅に改善された。使用者は、単に後部ハウジングから前部ハウジングを解放して、針シールド除去部材を交換した後、前部ハウジングを１８０度回転して、針シールド除去部材を用いて駆動機構を近位端の展開位置から遠位端のコック位置に押せばよい。前部ハウジングの近位端に針隠し前部を設けることにより、針を使用者に不可視にすることができる。多くの使用者は、器具が使用中または使用されていないときのいずれかの場合に、針を見たくない。
【０００５】
本発明に係る薬剤注射器具の一実施形態によれば、針隠し本体は、前部ハウジング内部に配置され、針隠し前部は、ねじ付き接続部を介して針隠し本体に調整可能に接続されている。これにより、針を常に不可視にすることが保証される。
【０００６】
本発明に係る薬剤注射器具の一実施形態によれば、針シールド除去部材と針隠し前部とは、針隠し前部に対する針シールド除去部材の回転が防止されながら、針隠し前部に対する針シールド除去部材の軸方向移動が許可されるように、噛み合うように配置されている。この構成は、使用者が針シールド除去部材を回転させながら、前部ハウジングを把持することにより、針シールド除去部材を用いて、ねじ付き接続部を介いて針隠し本体に接続された針隠し前部の軸方向位置を調整することを可能にする。
【０００７】
本発明に係る薬剤注射器具の一実施形態によれば、針隠し本体は、前部ハウジング内部で近位端位置と遠位端位置との間に軸方向に移動可能であり、注射器案内部は、交換可能な容器部分組立品を収容するために、針隠し本体内部に配置されており、注射器案内部は、前部ハウジングに対して近位端位置と遠位端位置との間で軸方向に移動可能である。注射器案内部の近位端端面は、前部ハウジングを用いて後部ハウジングにおいて駆動機構を再配置するように、針シールド除去部材の最大挿入深度を規定し、当接部として機能する。
【０００８】
本発明に係る薬剤注射器具の一実施形態によれば、第１付勢部材は、注射器案内部と針隠し本体との間に配置される。第１付勢部材は、注射器案内部を遠位端位置に向かって付勢するとともに、針隠し本体を近位端位置に向かって付勢する。第１付勢部材は、注射器具が注射部位から除去された場合、針隠しが外側に移動して針をカバーし、針を患者に不可視にすることを保証する。
【０００９】
本発明に係る薬剤注射器具の一実施形態によれば、注射器案内部の遠位端には、弾性注射器環状部が配置されており、弾性注射器環状部は、交換可能な容器部分組立品を収容かつ保持するように構成されている。たとえばゴムから作られた弾性注射器環状部は、交換可能な容器部分組立品を交換可能にしながら、所定の位置にしっかりと保持されることを保証する。
【００１０】
本発明に係る薬剤注射器具の一実施形態によれば、前部ハウジングは、前部ハウジングに対して、針隠し本体の近位端位置および遠位端位置と注射器案内部の近位端位置および遠位端位置とを規定する内部当接面を含む。
【００１１】
本発明に係る薬剤注射器具の一実施形態によれば、再装入可能な薬剤注射器具に収容された容器部分組立品の針の穿刺深度は、針隠し前部の位置を調整することによって調整される。針隠し前部を針隠し本体に接続させるねじ付き接続部は、調節可能な穿刺深度を提供する簡単な解決案である。
【００１２】
本発明に係る薬剤注射器具の一実施形態によれば、針隠し前部は、設定された針の穿刺深度を提示する表示手段を備える。表示手段は、前部ハウジングの窓または開口部から可視でありかつ現在設定された穿刺深度を明確に示す数字であってもよい。
【００１３】
本発明に係る薬剤注射器具の一実施形態によれば、針シールド除去部材は、再装入の薬剤注射器具に収容された交換可能容器部分組立品の針シールドを把持するように構成され可撓性フック手段を含む。針シールド除去部材が針隠し前部を通って前部ハウジングの近位端に挿入されたときに、可撓性フック手段が針シールドの外表面上で屈折する一方、可撓性フック手段が針シールドの遠位端を通過した場合、より少なめに付勢される位置に曲げ戻す。このフック手段は、好ましくは爪または有刺部材を備えたフック手段は、針シールドを確実に把持し、よって、針シールド除去部材が前部ハウジングから引き抜かれたときに、針シールドは、薬剤注射器具に収容された容器部分組立品から引き離される。
【００１４】
本発明に係る薬剤注射器具の一実施形態によれば、再装入可能な駆動機構は、軸方向に移動可能なプランジャロッド駆動部と、プランジャロッド駆動部を近位端位置に向かって付勢する駆動ばねとを含む。プランジャーロッド駆動部と後部ハウジングとは、後部ハウジング内部で移動する間にプランジャロッド駆動部を案内するための対応する案内手段を含む。後部ハウジング内に駆動機構およびその構成要素を形成することによって、リアハウジングと前部ハウジングとは分離可能になり、駆動機構の再装入は簡略化される。
【００１５】
本発明に係る薬剤注射器具の一実施形態によれば、プランジャロッド駆動部は、針を穿刺させ、薬剤を針を通って排出されるように、交換可能な容器部分組立品のプランジャに作用して、交換可能な容器部分組立品を前部ハウジングに対して軸方向に移動させるように構成される。明らかに理解すべきことは、プランジャロッド駆動部がプランジャロッドを含む場合、プランジャロッド駆動部をプランジャに直接に作用するように構成されてもよく、プランジャロッドが容器部分組立品の一部である場合、プランジャロッド駆動部をプランジャロッドを介してプランジャに間接に作用するように構成されてもよいことである。
【００１６】
本発明に係る薬剤注射器具の一実施形態によれば、後部ハウジングは、後部ハウジング内部で近位端位置と遠位端位置との間に移動可能なボタンブロッカーを含む。ボタンブロッカーは、近位端位置において、解放機構が駆動機構をコック位置から展開位置に解放することを防止し、遠位端位置において、解放機構が駆動機構をコック位置から展開位置に解放することを許可する。針隠し本体が前部ハウジング内部で近位端位置から遠位端位置に軸方向に移動されたときに、ボタンブロッカーは、近位端位置から遠位端位置に移動される。したがって、ボタンブロッカーは、針隠し本体が遠位端位置に向かって押されている場合のみに、すなわち薬剤注射器具が患者の皮膚に押付けられているときのみに解放される。よって、薬剤注射器具が誤って注射されないことを確実に保証する。
【００１７】
本発明に係る薬剤注射器具の一実施形態によれば、第２付勢部材は、ボタンブロッカーを近位端位置に向かって付勢するように、後部ハウジング内部に設けられている。したがって、プランジャロッド駆動部がその遠位端位置に押し戻されるときに、ボタンブロッカーは、駆動機構の解放が防止される近位端位置をとることを保証する。
【００１８】
本発明の別の局面によれば、本発明の第１局面に係る薬剤注射器具を再装入するための方法が提供される。この方法によれば、使用者が、針隠し前部を介して前部ハウジングに配置された針シールド除去部材を備える後部ハウジングから前部ハウジングを除去し、針シールド除去部材の近位端を後部ハウジングに収容された再装入可能な駆動機構に接触させ、その後、前部ハウジングおよび針シールド除去部材を後部ハウジングおよび駆動機構に向って軸方向に押すことによって、再装入可能な駆動機構を展開位置からコック位置に移動させることによって、薬剤注射器具を再装入する。
【図面の簡単な説明】
【００１９】
【図１ａ】分解状態における本発明の薬剤送達器具の実施形態の概略斜視図である。
【図１ｂ】組立状態における本発明の薬剤注射器具の実施形態の概略斜視図である。
【図２ａ】本発明の薬剤注射器具の後方ハウジングの実施形態の概略分解斜視図である。
【図２ｂ】本発明の薬剤注射器具の後方ハウジングの実施形態の概略分解斜視図である。
【図３】本発明の薬剤注射器具の前方ハウジングの実施形態の概略斜視断面図である。
【図４】本発明の薬剤注射器具の前方ハウジングの実施形態の概略斜視図である。
【図５ａ】本発明の方法のステップを示す概略斜視図である。
【図５ｂ】本発明の方法のステップを示す概略斜視図である。
【図６ａ】本発明の薬剤注射器具の実施形態の概略斜視断面図である。
【図６ｂ】本発明の薬剤注射器具の実施形態の概略斜視断面図である。
【図７ａ】本発明の薬剤注射器具の実施形態の概略斜視断面図である。
【図７ｂ】本発明の薬剤注射器具の実施形態の概略斜視断面図である。
【発明を実施するための形態】
【００２０】
好ましい実施形態の説明
添付の図面を参照して、本発明をより詳細に説明する。
【００２１】
本明細書に使用される用語「容器」は、注射可能な液体組成物に適するすべて種類の容器を含む。「遠位」および「近位」という用語は、それぞれ注射部位から遠い位置および注射部位に近い位置を意味する。
【００２２】
図面１ａおよび１ｂに示すように、本発明に係る薬剤送達器具１００の第１実施形態において、薬剤注射器具１００は、たとえば熱可塑性材料から作られた後部ハウジング１０１と、前部ハウジング１０２と、注射器などの交換可能な容器部分組立品１０３とを備える。前後部のハウジング１０１，１０２は、たとえば捻り連結によって互いに接続可能である。典型的には、ハウジング１０１，１０２を９０度で相対的に捻ることによって、前後部のハウジング１０１，１０２を接続または切離することができる。交換可能な容器部分組立品１０３は、針（図１ａに図示せず）と、薬剤容器１５と、プランジャ１４と、プランジャロッド１３と、針から使用者を保護するために配置された針シールド１１とを備えてもよい。明らかに、容器部分組立品１０３は、プランジャロッド１３を備えず、プランジャロッドは、器具の一部であることも考えられる。
【００２３】
図２ａおよび２ｂは、駆動機構１０８を備えた後部ハウジング１０１を示している。駆動機構１０８は、後部ハウジング１０１内部で、（図２ａに示されている）近位端位置と（図２ｂに示されている）遠位端位置との間に軸方向に移動可能に構成されたプランジャロッド駆動部１を備える。プランジャロッド駆動部１の近位端位置は、プランジャロッド１３と交換可能な容器部分組立品１０３のプランジャ１４とがそのストロークの最後まで押された位置、すなわち薬剤容器１５が空になっている位置に対応し、プランジャロッド駆動部１の遠位端位置は、プランジャロッド１３と交換可能な容器部分組立品１０３のプランジャ１４とがまだ移動されていない位置、すなわち薬剤容器１５が満杯になっている位置に対応する。駆動機構１０８は、駆動ばね２をさらに備える。本明細書において、駆動ばね２は、螺旋コイルばねであり、プランジャロッド駆動部１をその近位端位置に向かって付勢する。駆動機構１０８のプランジャロッド駆動部１を遠位位置またはコック位置から近位位置または展開位置に解放するための解放機構３は、後部ハウジング１０１の上面に配置されている。解放機構３は、（図２ｂに示される）展開位置と（図２ａに示される）押圧位置との間で旋回軸６の周りに旋回可能であり、トリガーボタン４と、プランジャロッド駆動部１に当接しかつ相互作用する当接部材５とを備えている。図２ａにおいて、解放機構３は押圧されており、プランジャロッド駆動部１は展開された近位端位置をとっている。この位置では、当接部材５は、プランジャロッド駆動部１の上面に当接し、解放機構３が旋回軸６の周りに旋回することを阻止する。この細部の設計は、プランジャロッド駆動部１が遠位端位置に位置していなければ、解放機構３がその展開位置をとることができず、押圧位置にロックされる。弾性部材（図示せず）が設けられ、トリガーボタン４をその展開位置に向かって付勢する。したがって、プランジャロッド駆動部１と解放機構３との間の相互作用が可能になるとき、すなわち当接部材５と解放機構３との当接がプランジャロッド駆動部１の凹部９に到達するとき、解放機構３は、その展開位置（図２ｂを参照）をとる。状態窓７が、解放機構３に隣接してまたは少なくとも解放機構３の近くに設けられている。この状態窓を介して、プランジャロッド駆動部１に設けられた記号が可視になり、薬剤送達器具１００の状態を示す。好ましくは、状態窓は、透明のプラスチック材料、少なくとも半透明のプラスチック材料から作られる。後部ハウジング１０１は、２つの部分から形成することができる。この２つの部分は、一方の部分に設けられたピンまたは突起８および他方に設けられた対応の開口部８′（図２ａまたは２ｂに示されていない）を介して互いに固定される。明らかには、凸部および溝の設計、留め金引掛け要素、または溶接または接着による永久固定のような他の設計も考えられる。相互作用する案内手段１０が、プランジャロッド駆動部１の外面と後部ハウジング１０１の内面とに設けられており、後部ハウジング１０１内におけるプランジャロッド駆動部１の移動を案内する。
【００２４】
図３は、前部ハウジング１０２および針シールド除去部材１０９の断面を示している。前部ハウジング１０２は、注射器１０３の形にした交換可能な容器部分組立品を備える。針シールド除去部材１０９の一部は、前部ハウジング１０２の近位端に配置され、注射器１０３の針１２を囲む針シールド１１を把持する。注射器１０３は、プランジャロッド１３と、プランジャ１４と、薬剤容器１５とをさらに備える。針隠し前部１６は、ねじ付き接続部１８を介して針隠し本体１７に接続された前部ハウジングの近位端に設けられ、。より具体的には、針隠し前部１６は、針隠し本体１７上に設けられている。針シールド除去部材１０９は、近位端および遠位端を備えている。その遠位端は、針針隠し前部１６を介して前部ハウジング１０２の近位端に配置されている。ねじ付き接続部部１８は、使用中に針１２の穿刺深度を調整する可能性を使用者に提供する。針隠し本体１７は、前部ハウジング１０２の内部を通って延在しており、注射器１０３を囲む。針隠し本体１７および針隠し前部の目的は、器具の使用中におよび器具の未使用中において、針を使用者から隠すためである。針隠し本体１７および前部ハウジング１０２は各々、針隠し本体１７が前部ハウジング１０２に対して軸方向に移動する遠位端位置および近位端位置を規定する当接面２０および２１を備える。この相対的な軸方向の移動は、針隠し前部１６の調整機能とともに、針１２を常に不可視にすることを保証する。注射器案内部２４は、前部ハウジング１０２内に、より詳しくは針隠し本体１７内に設けられ、部ハウジング１０２に対して、遠位端位置と近位端位置との間に軸方向に移動可能である。近位端位置は、前部ハウジング１０２の内面および注射器案内部２４の外面にそれぞれ設けられた対応の当接面（図示せず）により規定される。前部ハウジング１０２および注射器案内部２４に設けられた当接面は、互いに接続するために、一般的には針隠し本体１７に設けられた開口またはスロットを通って延在しなければならないだろう。これらの当接面は、調整可能な針隠し前部１６と併せて、器具使用中に針１２の穿刺深度を決定する。針シールド除去部材１０９は、針隠し前部１６および針隠し本体１７を通って、前部ハウジング１０２の近位端に部分的に挿入されるように、すなわち軸方向に移動できるように構成されている。前部ハウジング１０２の近位端に挿入された後、針シールド除去部材の軸方向の移動は、注射器案内部２４の当接面と針シールド除去部材１０９の当接面との間の相互作用、より詳しくは注射器案内部の近位端と針シールド除去部材１０９の遠位端との間の相互作用によって止められる。同時に、注射器案内部２４の当接面と針シールド除去部材１０９の当接面とは、注射器案内部が前部ハウジング１０２に対して遠位端へ移動することを防ぐ。一般的にゴムから作られた弾性注射器環状部２５は、注射器１０３を収容および保持するために、注射器案内部２４の遠位端に配置される。この弾性部材は、注射器を所定の位置にしっかりと保持するとともに、注射器が空になった後に注射器の交換を可能にする。通常、弾性注射器環状部２５は、注射器の交換時に注射器案内部の所定位置に止まるが、当然ながら、必要に応じて変えてもよい。第１付勢部材１９は、注射器案内部２４と針隠し本体１７との間に設けられ、注射器案内部２４をその遠位端位置に向って付勢するとともに、針隠し本体１７をその近位端位置に向かって付勢する。第１付勢部材１９は、本発明に係る器具が注射部位から除去されると、針隠し本体、ひいては針隠し前部１６が自動的に外側に移動し、針１２を使用者に見えないように保つことを保証する。前部ハウジング１０２は、２つの部分から形成することができる。この２つの部分は、一方の部分に設けられたピンまたは突起８および他方に設けられた対応の開口部８′（図３に示されていない）を介して互いに固定されている。明らかには、凸部および溝の設計、留め金引掛け要素、または溶接または接着による永久固定のような他の設計も考えられる。
【００２５】
図４は、針１２の穿刺深度を容易に調整することを示している。針シールド除去部材１０９は、軸方向に直線延在する凸部２３を備え、この凸部２３が針隠し前部１６に設けられた凹部２２と対応する形状を有する。このような構成により、針シールド除去部材１０８が針隠し前部１６に軸方向に挿入することができるとともに、両者の相対回転運動が防止される。針シールド除去部材１０９をグリップ要素として使用することにより、使用者は、使用中に、針隠し本体１７に対して針隠し前部１６を回してその位置を調整することができ、よって針１２の穿刺深度を設定することができる。前部ハウジング１０２および／または針隠し本体１７は、予め設定された複数の位置を規定する手段を備えてもよい。これらの複数の位置は、針隠し前部１６が回されるときに、適所にスナップする。針隠し前部１６は、前部ハウジング１０２に設けられた切欠窓２９または類似ものに可視であり、設定された穿刺深度を示す数字２６を有する。穿刺深度は、所望の値に設定されるまで、前後に調節することができる。
【００２６】
図５ａおよび５ｂは、器具１００の駆動機構を再装入する方法を概略的に示す。その先端に針隠し前部１６を介して取付けられた針シールド除去部材１０９を有する前部ハウジング１０２は、後部ハウジング１０１に対して互いに９０度で捻ることにより、後部ハウジングから取外される。次いで、針シールド除去部材１０９の近位端は、後部ハウジング１０１内に配置されかつその近位端位置に位置する駆動機構１０８に当接するように配置される。その後、針シールド除去部材１０９とともに、前部ハウジングを用いて、駆動機構１０８をその近位端位置に向かって押圧し、そこでコック位置にスナップし、使用状態の準備が完了する。器具の機能は、以下の図６ａ、６ｂ、７ａおよび７ｂを参照してより詳細に説明する。
【００２７】
図６ａは、まだ使用されていない注射器を搭載しておりかつコック位置に位置する器具を示している。この状態において、駆動機構１０８が装入されかつ解放機構３がプランジャロッド駆動部１を解放することを防止するように、駆動ばね２は、完全に圧縮されている。このことは、後部ハウジング１０１の近位端から後部ハウジング１０１の遠位端に延在しており、トリガーボタン４が圧縮され、駆動機構１０８を解放することを防止するボタンブロッカー２６により達成される。図６〜７に示した実施形態において、ボタンブロッカー２６は、後部ハウジング１０１に設けられた開口部８′によって規定された近位端位置と遠位端位置との間で移動可能である。解放機構３の当接部材５（図２ａおよび２ｂを参照）は、プランジャロッド駆動部１の凹部９内に進入すると、プランジャロッド駆動部を近位端位置に向かって移動することを防止する。針シールド除去部材１０９は、まだ針シールド１１を把持する場所に位置するため、所望の穿刺深度を設定するために使用することができる。図６ｂにおいて、針隠し前部は、既に最大穿刺深度に対応する位置に設定されており、針シールド除去部材１０９は、その後、針シールド１１とともに引出される。注射器具１００は現在、使用者が注射器具を意図した注射部位に押したときに対応する箇所に位置している。この時、針隠し本体１７および針隠し前部１６は、遠位端位置をとり、当接面２０，２１は、互いに接触する。注射部位に対して注射器具を押すと、針隠し本体１７もボタンブロッカー２６に当接する。針隠し本体１７が遠位端位置に向かって後方へ移動すると、ボタンブロッカー２６を後部ハウジングに対して遠位端位置に向かって軸方向に押圧する。このボタンブロッカー２６の動きは、解放機構３を作動することができ、注射器具１００を注射できる状態にする。図７ａにおいて、押下されたトリガーボタン４は、駆動ばね２にプランジャロッド駆動部１を前方に押圧するようにさせることによって、注射器案内部２４の近位端位置に向かって注射器１０３および注射器案内部２４を移動させる。注射器１０３および注射器案内部２４は前方に移動すると、針１２は、注射部位を穿刺し、プランジャロッド１３は、プランジャ１４を前方へ押出し、注射器の内容物を針の開口部から排出する。駆動ばね２の力が第１付勢部材１９よりもはるかに強力であるため、駆動機構１０８が解放されたときに、第１付勢部材１９が圧縮される。図７ｂは、使用者が注射を完了した後、注射部位から注射器具を除去した状態に対応する。注射器具が除去されると、第１付勢部材１９が伸展し、針隠し本体１７がその近位端位置をとるので、針１２は、使用者に見えないように効果的に隠される。第２付勢部材２７は、後部ハウジング１０１とボタンブロッカー２６との間に設けられている。駆動機構１０８がその遠位端位置に押圧されかつ解放機構が展開位置をとるときに（図２ａおよび２ｂを参照した説明を参照）、第２付勢部材２７は、ボタンブロッカー２６がその近位端位置をとるようにボタンブロッカー２６を押圧し、トリガーボタン４を圧縮しないように防止する。たとえば、図６ａに示されたのは、ばね案内部２８である。このばね案内部は、圧縮中に駆動ばね２の座屈を回避するために、駆動ばね２を支持および案内する。
【００２８】
最後に、本発明に係る薬剤注射器具は、従来技術における既知の注射器具に比べて、多くの利点を有する。この器具が完全な機械的設計を有するため、バッテリーまたは類似ものに依存せず、信頼性を常に確保することができる。駆動機構は、注射器具自体の前部ハウジングおよび針シールド除去部材を使用して、簡単かつ確実に再装入することができる。針隠し前部が付勢され針を常に覆っているため、針が常に患者に対して不可視である。穿刺深度も非常に簡単かつ使用者に利用し易い方法で設定することができる。針シールド除去部材をグリップとして使用することにより、力および／または協調性が弱くなった使用者も、本発明の注射器具を使用できる。本発明の表示手段は、明確かつ簡潔な方法で設定した穿刺深度を提示する。設定した穿刺深度は、各注射時に再設定する必要がない。また、本発明に係る注射器具は、自動穿刺深度のメモリを提供する。注射器具は、再使用可能であり、使用者は、簡単な方法で使用した注射器を新しい注射器に交換することができる。注射器具は、穿刺深度を変更することを可能にし、必要な深さを上下に設定することよって投与量を設定するができる。
【００２９】
理解すべきことは、上記に説明したおよび図面に記載した実施形態は、本発明の非限定的な例のみとして見なされるべきであり、特許請求の範囲においてさまざまな方法で変更することができることである。
【図１ａ】
0006510408.tif 000002
【図１ｂ】
0006510408.tif 000003
【図２ａ】
0006510408.tif 000004
【図２ｂ】
0006510408.tif 000005
【図３】
0006510408.tif 000006
【図４】
0006510408.tif 000007
【図５ａ】
0006510408.tif 000008
【図５ｂ】
0006510408.tif 000009
【図６ａ】
0006510408.tif 000010
【図６ｂ】
0006510408.tif 000011
【図７ａ】
0006510408.tif 000012
【図７ｂ】
0006510408.tif 000013